【手続補正書】
【提出日】平成16年6月16日(2004.6.16)
【手続補正１】
【補正対象書類名】明細書
【補正対象項目名】発明の名称
【補正方法】変更
【補正の内容】
【発明の名称】撮像装置、画像動き補正方法、プログラム、及び記録媒体
【手続補正２】
【補正対象書類名】明細書
【補正対象項目名】特許請求の範囲
【補正方法】変更
【補正の内容】
【特許請求の範囲】
【請求項１】
レンズを有する撮像装置であって、
前記撮像装置の動きを検出する検出部と、
静止画補正モードと動画補正モードとを選択する切替部と、
前記撮像装置の動きに基づいて、前記撮像装置の動きがパンニング及び／またはチルティングであるかどうかを判別する判別部と、
設定された設定値と前記撮像装置の動きに基づいて、前記レンズを制御する処理部とを備え、
前記切替部が前記動画補正モードを選択し、かつ前記判別部が前記撮像装置の動きをパンニング及び／またははチルティングであると判別した場合には、前記処理部は前記設定値を第１設定値から第２設定値に再設定し、再設定した前記第２設定値と前記撮像装置の動きに基づいて、前記処理部は前記レンズを制御する、撮像装置。
【請求項２】
前記処理部は、低周波成分除去フィルタリング、積分処理、ゲイン調整、クリップ処理の少なくとも１つの処理を行う、請求項１記載の撮像装置。
【請求項３】
前記処理部は、前記低周波成分除去フィルタリングを行い、
前記設定値を前記第１設定値から前記第２設定値に再設定するとは、前記第１設定値である第１カットオフ周波数よりも高い第２カットオフ周波数を前記第２設定値として再設定することである、請求項２記載の撮像装置。
【請求項４】
前記処理部は、前記積分処理を行い、
前記設定値を前記第１設定値から前記第２設定値に再設定するとは、前記第１設定値である第１積分定数よりも小さな第２積分定数を前記第２設定値として再設定することである、請求項２記載の撮像装置。
【請求項５】
前記処理部は、前記ゲイン調整を行い、
前記設定値を前記第１設定値から前記第２設定値に再設定するとは、前記第１設定値である第１ゲイン値よりも小さな第２ゲイン値を前記第２設定値として設定することである請求項２記載の撮像装置。
【請求項６】
前記処理部は、前記クリップ処理を行い、
前記設定値を前記第１設定値から前記第２設定値に再設定するとは、前記第１設定値である第１クリップ値よりも小さな第２クリップ値を前記第２設定値として設定することである請求項２記載の撮像装置。
【請求項７】
レンズを有する撮像装置であって、
前記撮像装置の動きを検出する検出部と、
静止画補正モードと動画補正モードとを選択する切替部と、
前記撮像装置の動きに基づいて、前記撮像装置の動きがパンニング及び／またはチルティングであるかどうかを判別する判別部と、
設定された設定値と前記撮像装置の動きに基づいて、レンズを制御する処理部とを備えた、前記レンズを有する撮像装置に用いられる画像動き補正方法であって、
前記切替部が前記動画補正モードを選択し、かつ前記判別部が前記撮像装置の動きをパンニング及び／またははチルティングであると判別した場合には、前記処理部が前記設定値を第１設定値から第２設定値に再設定し、再設定した前記第２設定値と前記撮像装置の動きに基づいて、前記処理部が前記レンズを制御するステップを備えた、画像動き補正方法。
【請求項８】
請求項１記載の撮像装置の、
静止画補正モードと動画補正モードとを選択する切替部と、
前記撮像装置の動きに基づいて、前記撮像装置の動きがパンニング及び／またはチルティングであるかどうかを判別する判別部と、
設定された設定値と前記撮像装置の動きに基づいて、前記レンズを制御する処理部としてコンピュータを機能させるためのプログラム。
【請求項９】
請求項８記載のプログラムを担持した記録媒体であって、コンピュータにより読み取り可能な記録媒体。
【手続補正３】
【補正対象書類名】明細書
【補正対象項目名】０００１
【補正方法】変更
【補正の内容】
【０００１】
【発明の属する技術分野】
本発明は撮像装置の手振れ補正等に用いる撮像装置、画像動き補正方法、プログラム、及び記録媒体に関し、特にその性能改善に関し提案するものである。
【手続補正４】
【補正対象書類名】明細書
【補正対象項目名】０００８
【補正方法】変更
【補正の内容】
【０００８】
本発明は、上記課題を考慮し、パンニング及び／またはチルティングを行った場合のような特定の条件下では動き補正性能を制限する機器において、これとは別の条件下、例えば静止画を撮影する場合などで、補正性能の制限を解除することで、補正性能が制限されずに被写体の撮影が可能である撮像装置、画像動き補正方法、プログラム、及び記録媒体を提供することを目的とするものである。
【手続補正５】
【補正対象書類名】明細書
【補正対象項目名】０００９
【補正方法】変更
【補正の内容】
【０００９】
また、本発明は、上記課題を考慮し、ある条件下、例えば静止画を撮影する場合に、手振れ補正の性能をより強化することで、その効果をより一層高めることが可能である撮像装置、画像動き補正方法、プログラム、及び記録媒体を提供することを目的とするものである。
【手続補正６】
【補正対象書類名】明細書
【補正対象項目名】００１０
【補正方法】変更
【補正の内容】
【００１０】
【課題を解決するための手段】
上述した課題を解決するために、第１の本発明は、レンズを有する撮像装置であって、
前記撮像装置の動きを検出する検出部と、
静止画補正モードと動画補正モードとを選択する切替部と、
前記撮像装置の動きに基づいて、前記撮像装置の動きがパンニング及び／またはチルティングであるかどうかを判別する判別部と、
設定された設定値と前記撮像装置の動きに基づいて、前記レンズを制御する処理部とを備え、
前記切替部が前記動画補正モードを選択し、かつ前記判別部が前記撮像装置の動きをパンニング及び／またははチルティングであると判別した場合には、前記処理部は前記設定値を第１設定値から第２設定値に再設定し、再設定した前記第２設定値と前記撮像装置の動きに基づいて、前記処理部は前記レンズを制御する、撮像装置である。
また、第２の本発明は、前記処理部は、低周波成分除去フィルタリング、積分処理、ゲイン調整、クリップ処理の少なくとも１つの処理を行う、第１の本発明の撮像装置である。
また、第３の本発明は、前記処理部は、前記低周波成分除去フィルタリングを行い、
前記設定値を前記第１設定値から前記第２設定値に再設定するとは、前記第１設定値である第１カットオフ周波数よりも高い第２カットオフ周波数を前記第２設定値として再設定することである、第２の本発明の撮像装置である。
また、第４の本発明は、前記処理部は、前記積分処理を行い、
前記設定値を前記第１設定値から前記第２設定値に再設定するとは、前記第１設定値である第１積分定数よりも小さな第２積分定数を前記第２設定値として再設定することである、第２の本発明の撮像装置である。
また、第５の本発明は、前記処理部は、前記ゲイン調整を行い、
前記設定値を前記第１設定値から前記第２設定値に再設定するとは、前記第１設定値である第１ゲイン値よりも小さな第２ゲイン値を前記第２設定値として設定することである第２の本発明の撮像装置である。
また、第６の本発明は、前記処理部は、前記クリップ処理を行い、
前記設定値を前記第１設定値から前記第２設定値に再設定するとは、前記第１設定値である第１クリップ値よりも小さな第２クリップ値を前記第２設定値として設定することである第２の本発明の撮像装置である。
また、第７の本発明は、レンズを有する撮像装置であって、
前記撮像装置の動きを検出する検出部と、
静止画補正モードと動画補正モードとを選択する切替部と、
前記撮像装置の動きに基づいて、前記撮像装置の動きがパンニング及び／またはチルティングであるかどうかを判別する判別部と、
設定された設定値と前記撮像装置の動きに基づいて、レンズを制御する処理部とを備えた、前記レンズを有する撮像装置に用いられる画像動き補正方法であって、
前記切替部が前記動画補正モードを選択し、かつ前記判別部が前記撮像装置の動きをパンニング及び／またははチルティングであると判別した場合には、前記処理部が前記設定値を第１設定値から第２設定値に再設定し、再設定した前記第２設定値と前記撮像装置の動きに基づいて、前記処理部が前記レンズを制御するステップを備えた、画像動き補正方法である。
また、第８の本発明は、第１の本発明の撮像装置の、
静止画補正モードと動画補正モードとを選択する切替部と、
前記撮像装置の動きに基づいて、前記撮像装置の動きがパンニング及び／またはチルティングであるかどうかを判別する判別部と、
設定された設定値と前記撮像装置の動きに基づいて、前記レンズを制御する処理部としてコンピュータを機能させるためのプログラムである。
また、第９の本発明は、第８の本発明のプログラムを担持した記録媒体であって、コンピュータにより読み取り可能な記録媒体である。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００８９
【補正方法】削除
【補正の内容】
【手続補正３３】
【補正対象書類名】明細書
【補正対象項目名】０２０１
【補正方法】変更
【補正の内容】
【０２０１】
【発明の効果】
以上説明したところから明らかなように、本発明は、パンニングまたはチルティングを行った場合のような特定の条件下では動き補正性能を制限する機器において、これとは別の条件下、例えば静止画を撮影する場合などで、補正性能の制限を解除することで、補正性能が制限されずに被写体の撮影が可能である撮像装置、画像動き補正方法、プログラム、及び記録媒体を提供することができる。
【手続補正３４】
【補正対象書類名】明細書
【補正対象項目名】０２０２
【補正方法】変更
【補正の内容】
【０２０２】
また、本発明は、ある条件下、例えば静止画を撮影する場合に、手振れ補正の性能をより強化することで、その効果をより一層高めることが可能である撮像装置、画像動き補正方法、プログラム、及び記録媒体を提供することができる。